(57)【要約】  【課題】透明な紫外線遮断性フイルム糸、及び、該透明な紫外線遮断性フイルム糸を得ることができる透明な紫外線遮断性フイルムを提供するものである。  【解決手段】透明なプラスチックフイルムの片面又は両面に透明な紫外線遮断層が形成されていることを特徴とする紫外線遮断性フイルム、及び、透明なプラスチックフイルムの片面又は両面に透明な紫外線遮断層が形成されていることを特徴とする紫外線遮断性フイルムを縦長に裁断してなる紫外線遮断性フイルム糸。【選択図】なし【特許請求の範囲】
【請求項１】
透明なプラスチックフイルムの片面に透明な紫外線遮断層が形成されていることを特徴とする紫外線遮断性フイルム。
【請求項２】
透明なプラスチックフイルムの片面に透明な紫外線遮断層が形成されていることを特徴とする紫外線遮断性フイルムを２枚、プラスチックフイルムを内側として貼り合わせてなる紫外線遮断性フイルム。
【請求項３】
透明なプラスチックフイルムの両面に透明な紫外線遮断層が形成されていることを特徴とする紫外線遮断性フイルム。
【請求項４】
請求項１〜４に記載の紫外線遮断性フイルムのいずれかを縦長に裁断してなる紫外線遮断性フイルム糸。
【発明の詳細な説明】
【技術分野】
【０００１】
本発明は、織物や編物からなる衣料、カーテン、タオル、等の各種の繊維製品に使用しても目立つことがなく、しかも効果的に紫外線を遮断することができる紫外線遮断性フイルム糸に関するものである。
【０００２】
また、本発明は、上記の紫外線遮断性フイルム糸を得ることもでき、更に各種のブラインド材料や窓ガラス等に貼り合わせて使用したり、更に各種のブラインド材料や窓ガラス等に貼り合わせて使用したり、農業分野で被覆材として使用したり、自動車のカバー材料等の工業分野で被覆材として使用したりすることもできる。
【背景技術】
【０００３】
プラスチックフイルムは従来、表面に樹脂層や反射層を形成してブラインド材料や窓ガラス等に貼り合わせて使用したり、農業分野で被覆材として使用したり、自動車のカバー材料等の工業分野で被覆材として使用されており、あるいはプラスチックフイルムを細長に裁断して糸にするなどして使用されている。
【０００４】
特に、表面に金属層を形成したプラスチックフイルムを細長に裁断して得たフイルム糸は、金銀糸として古くから多く使用されている。
【０００５】
しかし、金銀糸は美麗な金属光沢はあるが不透明であることから、一方において透明なフイルム糸が要望されてきた。
【０００６】
そして、透明なフイルム糸としては従来、基材フイルム上に抗菌層を設けた抗菌フイルムを細長に裁断した偏平な抗菌糸が知られている（特許文献１参照）。
【特許文献１】特開２００２−３６４４７号公報
【発明の開示】
【発明が解決しようとする課題】
【０００７】
しかしながら、従来公知の透明なフイルム糸である抗菌糸は、抗菌性はあるが紫外線遮断性がなかった。
【０００８】
従って、従来公知の透明なフイルム糸を使用した各種の繊維製品は、フイルム糸に紫外線を反射する反射層がなく、また、抗菌層は紫外線を遮断できないので、紫外線を遮断することができなかった。
【０００９】
本発明は、従来はなかった透明な紫外線遮断性フイルム糸を提供するものであり、また、該透明な紫外線遮断性フイルム糸を得ることができる透明な紫外線遮断性フイルムを提供するものである。
【課題を解決するための手段】
【００１０】
すなわち、本発明は、
（１）透明なプラスチックフイルムの片面に透明な紫外線遮断層が形成されていることを特徴とする紫外線遮断性フイルムである。
（２）透明なプラスチックフイルムの片面に透明な紫外線遮断層が形成されていることを特徴とする紫外線遮断性フイルムを２枚、プラスチックフイルムを内側として貼り合わせてなる紫外線遮断性フイルムである。
（３）透明なプラスチックフイルムの両面に透明な紫外線遮断層が形成されていることを特徴とする紫外線遮断性フイルムである。
【００１１】
また、本発明は、
（４）上記（１）〜（３）に記載の紫外線遮断性フイルムのいずれかを縦長に裁断してなる紫外線遮断性フイルム糸である。
【発明の効果】
【００１２】
本発明の紫外線遮断性フイルム糸及び紫外線遮断性フイルムは、透明なプラスチックフイルムの片面又は両面に透明な紫外線遮断層が形成されているから、紫外線遮断性がある。特に、紫外線遮断性があるフイルム糸は本発明を持って嚆矢とする。
【００１３】
従って、本発明の紫外線遮断性フイルム糸を衣料、カーテン、タオル、等の各種の繊維製品に使用すれば、その繊維製品に紫外線遮断性が付与される。
【００１４】
そして、繊維製品に紫外線遮断性が付与されるので、繊維製品に耐候性がある。
【００１５】
また、本発明の紫外線遮断性フイルム糸及び紫外線遮断性フイルムは、透明なプラスチックフイルムの片面又は両面に透明な紫外線遮断層が形成されているから、透明なプラスチックフイルム自体が紫外線から保護されるので、耐候性がある。
【００１６】
また、本発明の紫外線遮断性フイルムを、各種のブラインド材料や窓ガラス等に貼り合わせて使用したり、農業分野で被覆材として使用したり、自動車のカバー材料等の工業分野で被覆材として使用したりすれば、ブラインドや窓ガラス、被覆材に被覆されている各種のもの等に紫外線遮断性が付与される。
【００１７】
そして、それらの繊維製品、ブラインドや窓ガラス等を使用すれば、紫外線による人体への悪影響を回避することができる。
【００１８】
さらに、本発明の紫外線遮断性フイルム糸及び紫外線遮断性フイルムは全体が透明であるから、各種の繊維製品、ブラインド、窓ガラス等に使用した場合に目立つことがない。
【００１９】
従って、本発明を使用した各種の繊維製品、ブラインド、窓ガラス等は、本来の色や柄等のデザインが損なわれることがない。
【発明を実施するための最良の形態】
【００２０】
本発明の紫外線遮断性フイルムは、例えば、広幅長尺で透明なプラスチックフイルムの片面又は両面に透明な紫外線遮断層を形成して得ることができる。
【００２１】
また、本発明の紫外線遮断性フイルムは、広幅長尺で透明なプラスチックフイルムの片面に透明な紫外線遮断層を形成して得たものを２枚、プラスチックフイルムを内側として貼り合わせて得ることもできる。
【００２２】
本発明の紫外線遮断性フイルム糸は、例えば、広幅長尺で透明なプラスチックフイルムの片面又は両面に透明な紫外線遮断層を形成して得た積層体を、縦長に裁断することにより得ることができ、また、広幅長尺で透明なプラスチックフイルムの片面に透明な紫外線遮断層を形成して得たものを２枚、プラスチックフイルムを内側として貼り合わせて得た積層体を、縦長に裁断することにより得ることもできる。
【００２３】
従って、本発明の紫外線遮断性フイルム糸は、断面構造としては、紫外線遮断性フイルムと同じである。
【００２４】
そして、上記のようにして得た本発明の紫外線遮断性フイルム糸は各種の繊維製品に使用できる。
【００２５】
また、本発明の紫外線遮断性フイルムは、縦長に裁断して紫外線遮断性フイルム糸を得ることもできる。
【００２６】
また、本発明の紫外線遮断性フイルムは、各種のブラインド材料や窓ガラス等に貼り合わせて使用したり、農業分野で被覆材として使用したり、自動車のカバー材料等の工業分野で被覆材として使用したりして、種々使用することもできる。
【００２７】
本発明における透明なプラスチックフイルムとしては、ポリエチレンテレフタレートフイルム等のポリエステルフイルム、ナイロン６フイルム等のポリアミドフイルム、ポリプロピレンフイルム、ポリエチレンフイルム、等の従来フイルム糸に使用されている各種の透明なプラスチックフイルムが使用できる。
【００２８】
透明なプラスチックフイルムは、一軸延伸、二軸延伸又は無延伸のいずれのものであってもよい。
【００２９】
プラスチックフイルムの厚さは、４〜１００μｍであり、６〜５０μｍが好ましい。
【００３０】
なお、プラスチックフイルムの表面に真空蒸着等により薄い金属層を形成して、プラスチックフイルムを半透明にしておいてもよく、このようにしたものも、もちろん本発明に含まれる。
【００３１】
プラスチックフイルムの片面又は両面に透明な紫外線遮断層を形成する。
【００３２】
紫外線遮断層の形成に先立ち、プラスチックフイルムの表面に適宜の樹脂によりアンカーコート層を形成する等適宜の前処理をしておいてもよい。
【００３３】
アンカーコート層は必要により適宜の染料等により透明な着色をしておいてもよいが、このようにした場合には、紫外線遮断性フイルム糸又は紫外線遮断性フイルムが着色のものとなる。
【００３４】
紫外線遮断層は、従来公知の有機系紫外線吸収剤や微粉末系紫外線遮蔽剤等の適宜の紫外線遮蔽剤を適宜の樹脂に混入した塗料を、プラスチックフイルムの片面又は両面に、グラビアコーティング、リバースコーティング等の従来公知の方法でコーティングすることにより形成できる。
【００３５】
また、紫外線遮断層は、紫外線安定性基を重合体分子鎖内に結合して含有する樹脂をコーティングすることによっても形成できる。この場合、樹脂が紫外線吸収性基をも含有していれば、より一層好ましい。
【００３６】
紫外線遮断層の厚さは、０．１〜２０μｍであり、０．３〜５μｍが好ましい。
【００３７】
有機系紫外線吸収剤としては例えば、２−ヒドロキシ−４−オクトキシベンゾフェノンが挙げられ、微粉末系紫外線遮蔽剤としては例えば、酸化亜鉛、酸化セリウム、酸化チタン、酸化マグネシウム等の微粉末が挙げられる。
【００３８】
紫外線吸収剤や微粉末系紫外線遮蔽剤等の適宜の紫外線遮蔽剤を混入する樹脂としては、ポリエステル系樹脂、ポリウレタン系樹脂、アクリル系樹脂、エポキシ系樹脂、尿素系樹脂、メラミン系樹脂等が例示される。
【００３９】
紫外線遮蔽剤の混入量は特に限るものではなく、用途や使用場所、使用方法等によって適宜選択できるが、通常は、０．１〜２０重量%程度が一般的である。
【００４０】
本発明の紫外線遮断性フイルム糸は、例えば前記した通り、広幅長尺で透明なプラスチックフイルムの片面又は両面に透明な紫外線遮断層を形成して得た積層体を、縦長に裁断することにより得ることができる。
【００４１】
紫外線遮断性フイルム糸の幅は、０．１ｍｍ〜３０ｍｍ程度が好ましい。
【００４２】
０．１〜３０ｍｍの幅の紫外線遮断性フイルム糸は、各種の繊維製品に使用するのに適している。
【００４３】
しかし、本発明は、紫外線遮断性フイルム糸の幅を限定するものではなく、用途により紫外線遮断性フイルム糸の幅は適宜選択できる。
【００４４】
また、紫外線遮断性フイルムの幅は、３０ｍｍ〜２０００ｍｍ程度が好ましい。
３０ｍｍ〜２０００ｍｍの幅の紫外線遮断性フイルムは、各種のブラインド材料や窓ガラス等に貼り合わせて使用したり、農業分野で被覆材として使用したり、自動車のカバー材料等の工業分野で被覆材として使用したりするのに適してしている。
【００４５】
しかし、本発明は、紫外線遮断性フイルムの幅を限定するものではなく、用途により紫外線遮断性フイルムの幅は適宜選択できる。
【００４６】
本発明の紫外線遮断性フイルム糸は、各種の織物や編物からなる衣料、カーテン、タオル、等の各種の繊維製品に使用することができる。
【００４７】
本発明の紫外線遮断性フイルムは、前記した通り、縦長に裁断して紫外線遮断性フイルム糸を得ることもできる。
【００４８】
また、本発明の紫外線遮断性フイルムは、各種のブラインド材料や窓ガラス等に貼り合わせて使用したり、農業分野で被覆材として使用したり、自動車のカバー材料等の工業分野で被覆材として使用したりすることもできる。
【実施例１】
【００４９】
広幅長尺な厚さ１２μｍの透明なポリエチレンテレフタレートフイルムの片面に、ポリエステル系樹脂をコーティングして厚さ０．２μｍの透明なアンカーコート層を形成し、該アンカーコート層上に、紫外線遮蔽剤として酸化亜鉛微粉末を５重量%混入したアクリル系樹脂をコーティングして厚さ１．５μｍの透明な紫外線遮断層を形成して得た積層体を、約０．８ｍｍの幅で縦長に裁断して、本発明の紫外線遮断性フイルム糸を得た。
【実施例２】
【００５０】
実施例１における積層体を２枚、ポリエチレンテレフタレートフイルムを内側として接着剤により貼り合わせて得た積層体を、約０．５ｍｍの幅で縦長に裁断して、本発明の紫外線遮断性フイルム糸を得た。
【実施例３】
【００５１】
広幅長尺な厚さ１２μｍの透明なポリエチレンテレフタレートフイルムの片面ではなく両面に、アンカーコート層及び紫外線遮断層を形成したほかは実施例１と同様にして、本発明の紫外線遮断性フイルム糸を得た。
【実施例４】
【００５２】
厚さ１２μｍの透明なポリエチレンテレフタレートフイルムの片面に、ポリエステル系樹脂をコーティングして厚さ０．２μｍの透明なアンカーコート層を形成し、該アンカーコート層上に、紫外線安定性基を有する樹脂として立体障害性ピペリジン残基を樹脂中に結合保有する樹脂（日本触媒社製ＵＶ−Ｇ３０１）を使用して、該樹脂をコーティングすることにより厚さ１．５μｍの透明な紫外線遮断層を形成して得た積層体を、約０．３ｍｍの幅で縦長に裁断して、本発明の紫外線遮断性フイルム糸を得た。